【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
発光ダイオード（ＬＥＤ）ライトストリップの長さに沿って配置され、第１の供給路及び第１の帰還路を介して並列に給電され、少なくとも１つの第１のタイプのＬＥＤ及び少なくとも１つの第１のタイプの抵抗コンポーネントをそれぞれ含む第１の複数のＬＥＤストリングと、
前記ＬＥＤライトストリップの前記長さに沿って配置され、第２の供給路及び第２の帰還路を介して並列に給電され、少なくとも１つの、前記第１のタイプのＬＥＤとは異なる第２のタイプのＬＥＤ及び少なくとも１つの第２のタイプの抵抗コンポーネントをそれぞれ含む第２の複数のＬＥＤストリングと、
前記ＬＥＤライトストリップの前記長さに沿って配置される少なくとも３つの導電体と、
を含み、
前記少なくとも３つの導電体のうちの少なくとも２つの導電体からなる第１のセットは、前記第１の複数のＬＥＤストリングの前記第１の供給路及び前記第１の帰還路を提供し、前記少なくとも３つの導電体のうちの少なくとも２つの導電体からなる第２のセットは、前記第２の複数のＬＥＤストリングの前記第２の供給路及び前記第２の帰還路を提供し、
前記第１の複数のＬＥＤストリング及び前記第２の複数のＬＥＤストリングは、ＬＥＤストリングに含まれるＬＥＤの順電圧及びＬＥＤストリングの駆動電流の少なくとも一方において異なる電気特性を有し、
前記少なくとも３つの導電体は、前記第１の複数のＬＥＤストリングのうちの１つのＬＥＤストリングの組み合わせられた供給路及び帰還路の抵抗が、前記第２の複数のＬＥＤストリングのうちの１つのＬＥＤストリングの組み合わせられた供給路及び帰還路の抵抗とは異なるように構成され、
前記第１の複数のＬＥＤストリングは、前記第２の複数のＬＥＤストリングに含まれるＬＥＤタイプよりも高い順電圧を有するＬＥＤタイプを含み、前記第１の複数のＬＥＤストリングのうちの１つのＬＥＤストリングの組み合わせられた供給路及び帰還路の抵抗は、前記第２の複数のＬＥＤストリングのうちの１つのＬＥＤストリングの組み合わせられた供給路及び帰還路の抵抗よりも小さい、又は
前記第１の複数のＬＥＤストリングは、前記第２の複数のＬＥＤストリングよりも高い駆動電流を有し、前記第１の複数のＬＥＤストリングのうちの１つのＬＥＤストリングの組み合わせられた供給路及び帰還路の抵抗は、前記第２の複数のＬＥＤストリングのうちの１つのＬＥＤストリングの組み合わせられた供給路及び帰還路の抵抗よりも大きい、ＬＥＤライトストリップ。
【請求項２】
前記少なくとも３つの導電体は、同じ材料で作られ、前記少なくとも３つの導電体のうちの少なくとも１つの導電体の断面積は、前記少なくとも３つの導電体のうちの他の導電体とは異なる、請求項１に記載のＬＥＤライトストリップ。
【請求項３】
前記少なくとも３つの導電体は、プリント回路基板、好適には、フレキシブルプリント回路基板上のトレースであり、前記少なくとも３つの導電体のうちの少なくとも１つの導電体の幅は、前記少なくとも３つの導電体のうちの他の導電体とは異なる、請求項２に記載のＬＥＤライトストリップ。
【請求項４】
前記少なくとも３つの導電体の各導電体の幅は、前記ＬＥＤライトストリップの長さに沿って同じままである、請求項３に記載のＬＥＤライトストリップ。
【請求項５】
前記少なくとも３つの導電体のうちの第１の導電体は、択一的に、前記第１の供給路であって前記第２の供給路であるか、又は、前記第１の帰還路であって前記第２の帰還路である、請求項１乃至４の何れか一項に記載のＬＥＤライトストリップ。
【請求項６】
前記第１のタイプのＬＥＤは、第１の色の光を放出し、前記第２のタイプのＬＥＤは、前記第１の色の光とは異なる第２の色の光を放出する、請求項１乃至５の何れか一項に記載のＬＥＤライトストリップ。
【請求項７】
前記第１のタイプのＬＥＤは、白色光を放出し、前記第１のタイプのＬＥＤは、前記ＬＥＤライトストリップが給電されると、前記第２のタイプのＬＥＤよりも多くの電流を引き込む、請求項６に記載のＬＥＤライトストリップ。
【請求項８】
前記第１のタイプのＬＥＤは、赤色光を放出し、前記第１のタイプのＬＥＤは、前記ＬＥＤライトストリップが給電されると、前記第２のタイプのＬＥＤよりも低い順電圧を有する、請求項６に記載のＬＥＤライトストリップ。
【請求項９】
請求項１乃至８の何れか一項に記載のＬＥＤライトストリップを含み、更に、前記ＬＥＤライトストリップに給電するドライバを含む、システム。
【請求項１０】
ＬＥＤライトストリップを製造する方法であって、
前記ＬＥＤライトストリップの長さに沿って配置される少なくとも３つの導電体を提供する少なくとも３つのトレースを回路基板上に印刷するステップと、
前記回路基板に、少なくとも、
前記ＬＥＤライトストリップの長さに沿って配置され、第１の供給路及び第１の帰還路を介して並列に給電され、少なくとも１つの第１のタイプのＬＥＤ及び少なくとも１つの第１のタイプの抵抗コンポーネントをそれぞれ含む第１の複数のＬＥＤストリングと、
前記ＬＥＤライトストリップの前記長さに沿って配置され、第２の供給路及び第２の帰還路を介して並列に給電され、少なくとも１つの、前記第１のタイプのＬＥＤとは異なる第２のタイプのＬＥＤ及び少なくとも１つの第２のタイプの抵抗コンポーネントをそれぞれ含む第２の複数のＬＥＤストリングと、
を装着するステップと、
を含み、
前記少なくとも３つの導電体のうちの少なくとも２つの導電体からなる第１のセットは、前記第１の複数のＬＥＤストリングの前記第１の供給路及び前記第１の帰還路を提供し、前記少なくとも３つの導電体のうちの少なくとも２つの導電体からなる第２のセットは、前記第２の複数のＬＥＤストリングの前記第２の供給路及び前記第２の帰還路を提供し、
前記第１のタイプのＬＥＤ及び前記第２のタイプのＬＥＤは、ＬＥＤの順電圧及びＬＥＤの駆動電流の少なくとも一方において異なる電気特性を有し、
前記少なくとも３つの導電体は、前記第１の複数のＬＥＤストリングのうちの１つのＬＥＤストリングの組み合わせられた供給路及び帰還路の抵抗が、前記第２の複数のＬＥＤストリングのうちの１つのＬＥＤストリングの組み合わせられた供給路及び帰還路の抵抗とは異なるように構成され、
前記第１の複数のＬＥＤストリングは、前記第２の複数のＬＥＤストリングに含まれるＬＥＤタイプよりも高い順電圧を有するＬＥＤタイプを含み、前記第１の複数のＬＥＤストリングのうちの１つのＬＥＤストリングの組み合わせられた供給路及び帰還路の抵抗は、前記第２の複数のＬＥＤストリングのうちの１つのＬＥＤストリングの組み合わせられた供給路及び帰還路の抵抗よりも小さい、又は
前記第１の複数のＬＥＤストリングは、前記第２の複数のＬＥＤストリングよりも高い駆動電流を有し、前記第１の複数のＬＥＤストリングのうちの１つのＬＥＤストリングの組み合わせられた供給路及び帰還路の抵抗は、前記第２の複数のＬＥＤストリングのうちの１つのＬＥＤストリングの組み合わせられた供給路及び帰還路の抵抗よりも大きい、方法。
【請求項１１】
前記少なくとも３つの導電体は、同じ材料で作られ、前記少なくとも３つの導電体の各導電体の寸法、好適には、幅は、前記少なくとも３つの導電体の各導電体の前記少なくとも３つの導電体のうちの他の導電体に対する抵抗が、少なくとも２つの導電体からなる前記第１のセットの電圧降下と少なくとも２つの導電体からなる前記第２のセットの電圧降下とが一致することを提供するように適応される、請求項１０に記載のＬＥＤライトストリップを製造する方法。